(57)【要約】【課題】  極めて簡単な製造工程により、バイオセンサの校正用データを自動認識させる新たな方法及びそのための識別標識の形成方法を提供する。【解決手段】  片端部に出力用の端子１１２を備えたコネクタ装着部１５０を有するバイオセンサ１００において、前記コネクタ装着部１５０に、予め導電性ペーストなどにより必要とされる数の光低透過性領域１６２を形成しておき、製造後に行う試用テストの後に不要な光低透過性領域１６２を切削などの方法により除去して、識別標識（ビットパターン）を構成する２種類のマーク１６１、光透過性のマーク１６１ａと光低透過性のマーク１６１ｂを形成する。バイオセンサ１００が測定器１に装着されると、マーク１６１によって構成されたビットパターンが発光素子３１及び受光素子３２からなる光学的手段によって検出され、その存在位置から必要な校正データが自動的に選択される。【選択図】図６
2009115516.tif 000002
【特許請求の範囲】
【請求項１】
片端部に出力電極が形成されたコネクタ装着領域と識別標識を有するバイオセンサであって、
前記識別標識は光学的手段によりその存否を識別可能な１又は複数のマーク（コネクタ装着領域以外に形成された貫通孔を除く）からなることを特徴とするバイオセンサ。
【請求項２】
前記光学的手段は光透過性又は光反射性を検出する手段からなり、マークの光透過性や光反射性の差異により識別標識の存否が認識されうることを特徴とする請求項１に記載のバイオセンサ。
【請求項３】
前記識別標識は前記コネクタ装着領域に備えられたことを特徴とする請求項１又は２に記載のバイオセンサ。
【請求項４】
前記識別標識は前記コネクタ装着領域以外に備えられたことを特徴とする請求項１又は２に記載のバイオセンサ。
【請求項５】
前記マークは光低透過性物質又は光反射性物質の塗布や印刷、光低透過性又は光反射性シールの貼付、塗布又は印刷された光低透過性物質又は光反射性物質の除去、コネクタ装着領域の孔開けの何れかにより備えられたことを特徴とする請求項１〜４の何れか１項に記載のバイオセンサ。
【請求項６】
前記マークは前記コネクタ装着領域に形成された出力電極と同一の素材である導電性膜からなることを特徴とする請求項５に記載のバイオセンサ。
【請求項７】
片端部に出力電極が形成されたコネクタ装着領域を有するバイオセンサへの識別標識の形成方法であって、
バイオセンサの露出面の一部領域に光低透過領域又は光反射領域を形成する工程と、
当該光低透過領域又は光反射領域の所定領域を除去する工程とを有することを特徴とする識別標識の形成方法。
【請求項８】
片端部に出力電極が形成されたコネクタ装着領域を有するバイオセンサへの識別標識の形成方法であって、
バイオセンサの露出面に識別に必要な最大数以上のマークとなる光低透過領域又は光反射領域を形成する工程と、
当該光低透過領域又は光反射領域のうち、不要な光低透過領域又は光反射領域を除去する工程とを有することを特徴とする識別標識の形成方法。
【請求項９】
前記除去方法は、切削、孔開けの何れかによる方法であることを特徴とする請求項７又は８に記載の識別標識の形成方法。
【請求項１０】
前記光低透過領域又は光反射領域を前記コネクタ装着領域に形成することを特徴とする請求項７〜９の何れか１項に記載の識別標識の形成方法。
【発明の詳細な説明】
【技術分野】
【０００１】
本発明はバイオセンサ、具体的には自動認識用マークを備えたバイオセンサに関する。
【背景技術】
【０００２】
近年、酵素反応や抗原抗体反応を利用して血糖値などの生体内物質の測定を可能にしたバイオセンサが開発されている。かかるバイオセンサは、例えば使用する酵素のロット違いや製造ラインの違い、検出用電極の形成状態の違いあるいは酵素の塗布状態の違いなどによってセンサ感度が異なり、全ての製造ロット間においてセンサ感度が同じであるとは限らない。このセンサ感度の相違を校正するために、例えば、製造者は製造ロットごとにセンサ感度の調整を行った後、製品パッケージ毎に測定器のセンサ感度を調整するための校正用センサを同梱したり、製造ロット毎に識別番号を付与したりすることが行われている。そして、使用者は予め校正用センサを用いて測定器の校正を行ったり、識別番号の入力によって予め測定器に記憶されている校正用データを選択して測定器の校正を行ったりした後に測定を行っている。しかしながら、いずれの方法でも測定者自らが校正しなければならず、測定者に校正する手間を与えるだけでなく、校正を忘れると正確な測定値が得られないと言う問題があった。また、複数の対象項目を測定する測定器であれば、校正用センサの取り違え等によって正しく校正されないという問題もあった。
【０００３】
このような問題点を解決すべく、例えば、特開２００１−３１１７１１号公報（特許文献１）には、バイオセンサの出力電極に校正用の情報を識別するためのスリットを設け、このスリットの設置パターンにより校正用データを自動認識する方法が開示されている。
【０００４】
特開平１０−３３２６２６号公報（特許文献２）には、バイオセンサを構成する出力電極が形成された基板上に、当該出力電極とは別に校正用の電極を設け、出力電極と校正用の電極との間で形成させた閉回路の形成パターンにより選択される校正用データを自動認識する方法が開示されている。
【０００５】
国際公開公報ＷＯ２００３／７６９１８号公報（特許文献３）には、バイオセンサを構成する出力電極が形成された基板の先端部に突出部を設けたり、基板の裏面に凸部を設けたりしたバイオセンサが開示されている。ここでは、これらの突出部や凸部の形成位置をセンサ装着用のコネクタに形成したコンデンサの容量変化を利用して認識した上で、この形成位置から校正用データを自動認識させたり、出力電極が形成された基板に出力電極とは別の電極を設け、この電極の形成位置を当該電極とセンサ装着用のコネクタとの間に形成したコンデンサの容量変化を利用して自動認識させている。
【０００６】
さらに、特許文献３には、別な方法としてバイオセンサを構成する出力電極が形成された基板の先端部に貫通孔を形成し、この貫通孔の形成位置を、貫通孔を通過した板バネ状の位置検出電極の導通状態を利用して認識する方法が開示されている。
【０００７】
【特許文献１】特開２００１−３１１７１１号公報
【特許文献２】特開平１０−３３２６２６号公報
【特許文献３】国際公開公報ＷＯ２００３／７６９１８号公報
【発明の開示】
【発明が解決しようとする課題】
【０００８】
しかしながら、電極にスリットを形成する方法では、スリットの形成に高度の技術が必要である。また、スリットの形成不良や電極の短絡を生じやすく、校正用データの識別不良を生じやすいということが考えられる。また、校正用の電極や容量変化のための突出部や凸部を形成する方法では、製造後に新しく電極や突出部を形成しなければならず、バイオセンサの製造工程が煩雑になるという問題がある。そして、バイオセンサの貫通孔に位置検出電極を通過させる方法では、貫通孔の位置決めに精度が要求される。
【０００９】
さらに、校正用の電極を形成する方法ではコネクタ内に出力電極と校正用電極との間で閉回路を形成する対電極（コネクタピン）を、容量変化のために突出部等を形成する方法では校正用電極に対応するコンデンサ形成用の対電極を、貫通孔に位置検出電極を通過させる方法では位置検出電極を、それぞれコネクタに設ける必要がある。ところで、コネクタにこのような検出手段を設けるには技術的な制約が多く、バイオセンサのコネクタ装着部に設けることのできる対電極等の数に制約がある。このため、準備される校正用データの数が限られ、種々のバイオセンサに対応できないおそれがあるといったことが考えられた。
【００１０】
本発明は上記の背景技術の問題点に鑑みてなされたものであって、本発明の目的は、比較的簡単な製造工程により、バイオセンサの校正用データを自動認識させる新たな方法、さらに好ましくは数多くの校正用データに対応可能な認識方法を提供することにある。
【課題を解決するための手段】
【００１１】
そこで本発明では、光学的手段によりその存否を識別可能な１又は複数のマーク（コネクタ装着領域以外に形成された貫通孔を除く）からなる識別標識を形成することにしている。
【発明の効果】
【００１２】
本発明は、光学的手段、例えば光透過性や光反射性を利用して、その透過性の違いや反射性の違いによりその存否が識別可能なマークから識別標識を設けることにしている。そのために、塗布による光不透過膜や光反射膜の形成、あるいは、あらかじめ形成した光不透過膜や光反射膜の削除と言った至極簡単な方法により識別標識を設けることができる。
【発明を実施するための最良の形態】
【００１３】
以下、本発明について添付の図面を参照しながら詳細に説明する。図１は本発明の一実施形態であるバイオセンサの概略斜視図、図２は当該バイオセンサの分解斜視図である。なお、図２では基板１１０とカバー１２０の間にある接着剤層１４０等は省略して描かれている。もっとも、以下に示された実施形態は例示であって、本発明は以下の実施形態に限定されるものではなく、特許請求の範囲の範囲及びこれと均等に含まれるすべての変更が本発明に含まれることが意図される。
【００１４】
バイオセンサ１００は、各図に示すように、絶縁性を有する板部材であるカバー１２０と光透過性を有する基板１１０の間で試料空間１３０を形成するようにカバー１２０と基板１１０が接着剤層１４０で貼り合わせられた構造をしている。バイオセンサ１００は、その先端に試料空間１３０に繋がる試料導入口１０１を有する。また、試料空間１３０の後端には、試料空間１３０とバイオセンサ１００の外部とが繋がった通気孔１４１がその両側に延設されている。基板１１０には、試料空間１３０に臨ませて一対の電極１１１が形成されている。そして、試料導入口１０１と反対側の基板端部には基板１１０が露出したコネクタ装着部１５０が設けられ、コネクタ装着部１５０には前記電極１１１と導体路１１３で電気的に接続された電圧取り出し用の端子（出力電極）１１２が露出して形成されている。電極１１１や導体路１１３、端子１１２は、導電性金属のスパッタリングや蒸着、導電性ペーストのスクリーン印刷等の方法により形成される。カバー１２０には、試料空間１３０に臨ませて試料（具体的には血液等の体液）と反応する試薬層１２１が設けられている。この一対の電極１１１と試薬層１２１によって測定部が構成されている。このようなバイオセンサ１００としては、例えば国際公開公報ＷＯ２００５／１０５９１号公報に記載されたような板部材が折り曲げられて基板とカバーとが作製されたチップが例示される。もっとも、本発明のバイオセンサ１００の構造は特許文献２に示された構造のものでなくても差し支えなく、片端部にコネクタ装着部１５０が設けられている構造のバイオセンサ１００であれば本発明を適用できる。
【００１５】
コネクタ装着部１５０には、２つの端子間１１２の間に標識形成領域１６０が設けられている。この標識形成領域１６０には、光学的手段によって検出できる１乃至２以上のマーク１６１、例えば図示するものでは３つの光透過性のマーク１６１ａと１つの光低透過性のマーク１６１ｂが形成されている。これらのマーク１６１は、測定器１の校正に要求される校正用データを自動認識させるためのものである。そして、これらの２種類のマーク１６１ａ，１６１ｂの存在する位置、つまり、光透過性のある領域とそれと比べて光透過性が低い光低透過性の領域が２値で示される識別標識（ビットパターン）を構成し、この識別標識が校正に用いられる校正用データを決定する。
【００１６】
各マーク１６１は光学的手段によりその存否が検出できればよい。光学的手段としては、例えば、上記のように光透過性を測定する手段のみならず、光反射性を測定する手段が例示される。光透過性を測定する場合には、（１）透過率が低い場合を「マーク有り」、透過率が高い場合を「マーク無し」と判断する方法、（２）透過率が高い場合を「マーク有り」、透過率が低い場合を「マーク無し」と判断する方法のいずれの方法でもよい。また、反射性を測定する場合には、（３）反射率が高い場合を「マーク有り」、透過率が高い場合を「マーク無し」と判断する方法、（４）反射率が低い場合を「マーク有り」、反射率が高い場合を「マーク無し」と判断する方法のいずれであってもよい。つまり、本発明では、光学特性の異なる２種類のマーク１６１が使用され、各マーク１６１における光透過率や光反射率が相対的に区別できるマーク１６１が使用される。
【００１７】
図示したバイオセンサ１００では光透過性の高い基板１１０が用いられており、例えば、インクやシール、金や銅、炭素などを含む導電性膜などの光低透性の低い物質、好ましくは光不透過性の物質の塗布等によって光透過性の低いマーク１６１ｂが形成されている。すなわち、光低透過性のマーク１６１ｂはこのような光透過性の低いインクなどの塗布等により形成され、光透過性のマーク１６１ａはこれらの塗布等を行わないことにより形成される。従って、標識形成領域１６０に光を照射して、光が基板１１０を透過して光低透過性のマーク１６１ｂが存在しないと認識できれば、そこには光透過性のマーク１６１ａが形成されていると判断できる。
【００１８】
このようにして形成される２種類のマーク１６１からなる識別標識、すなわち光透過性のマーク１６１ａと光低透過性のマーク１６１ｂの組み合わせからなるビットパターンはバイオセンサ１００の製造ロット毎によって異なり、製造後の試用テストの後に決定される。識別標識の構成に必要とされるマーク１６１の最大数（光透過性のマーク１６１ａと光低透過性のマーク１６１ｂの総和）は、予め測定器１に準備される校正用データの数によって異なる。例えば、測定器１に準備される校正用データが３種類であれば３種類のビットパターンが必要となるので、少なくとも２箇所のマーク１６１が必要となる。従って、この場合におけるマーク１６１の必要最大数は２となる。また、１５の校正用データが準備される場合であれば１５種類のビットパターンが必要となるので、４箇所のマーク１６１が最低限必要となる。従って、この場合におけるマーク１６１の必要最大数は４となる。
【００１９】
各マーク１６１の大きさは、マーク１６１の存否を識別する光学的装置、すなわち受光素子３２や発光素子３１の感度、マーク１６１の光透過性や光反射性によって適宜決定することができる。例えば、幅０．１〜０．５ｍｍ、長さ０．３〜０．８ｍｍ程度の矩形のマーク１６１が例示される。また、その形状も矩形状のものだけでなく、円形や楕円形、正方形状のものなど、光学的手段によって検出可能であればその形状は問われない。
【００２０】
マーク１６１のうち光低透過性のマーク１６１ｂは、製造後に行われる試用テストの後に、必要な位置にインクを塗布する、シールを貼付するなどの方法により形成される。また、製造時に予め必要最大数若しくはそれ以上のマーク形成用の光低透過性領域１６２を標識形成領域１６０に形成しておき、試用テストの後に不要な光低透過性領域１６２を除去して、光透過性のマーク１６１ａを形成すると共に残した光低透過性領域１６２を光低透過性のマーク１６１ｂとする方法が好ましい。例えば、１０個の校正用データが測定器１に準備される場合、１０種類のビットパターンが必要となるので、最大４つの光低透過性のマーク１６１ｂがあれば十分である。従って、図３に示すように、バイオセンサ１００の製造時に少なくとも４つのマーク形成用の光低透過性領域１６２を標識形成領域１６０に形成しておき（同図（ａ））、試用テストの結果、不要となる位置の光低透過性領域１６２を除去する（同図（ｂ））。除去された後の光低透過性領域１６２が光透過性のマーク１６１ａ（図では破線で囲まれた領域として示される）として認識され、除去されずに残った光低透過性領域１６２が光低透過性のマーク１６１ｂ（図では実線で囲まれた領域として示される）として認識される。
【００２１】
光低透過性領域１６２を除去する方法として、例えば、シールからなる場合であればシールを剥がす方法が、インクからなる場合であればインクを化学的方法により消す方法や物理的な方法、例えばレーザー加工等により切削する方法や打ち抜き等による孔開け加工する方法が例示される。また、導電性膜からなる場合には、レーザー加工や打ち抜き等による孔開け加工などの物理的な方法で除去する方法が例示される。除去する方法は、インクの後塗布やシールの後貼り、電極の後形成に比べると、位置決めに高い精度が不要で、加工が非常に簡単に行えるという利点がある。そして、光透過性であると検出できる程度の比較的粗い加工精度でもよい。また、導電性膜を用いる方法は、端子１１２や導体路１１３と同一の材料を用いることができる。そして、導線性膜は導電性ペーストを印刷によって、端子１１２等の形成と同一の工程で形成することができるので、その製造が簡便に行えるという利点もある。さらに、光学的手段によりマーク１６１の存否を検出しているので、バイオセンサ１００と非接触の状態で識別情報を検出できる。このため、特許文献３で指摘されているような測定回数の増加による接触不良に基づく誤認を防止できる。
【００２２】
図４はこのバイオセンサ１００が用いられる測定器１の構成を示すブロック図、図５はこのバイオセンサ１００が用いられる測定器１を一部破断した概略構成図である。測定器１は、バイオセンサ１００のコネクタ装着部１５０が挿入されバイオセンサ１００の出力を取り出すコネクタ１０と、校正用データが格納された記憶部２０と、バイオセンサ１００のマーク１６１の存否（ビットパターン）を検出する検出部３０と、検出されたマーク１６１の存否から必要な校正用データを照合する照合部４０と、照合された校正用データを利用してバイオセンサ１００の出力から検査値を演算する演算部５０及びその結果を表示する表示部６０を備える。
【００２３】
検出部３０はバイオセンサ１００に出力されたマーク１６１を検出する検出手段を備えている。この測定器１における検出手段は発光ダイオードなどの発光素子３１とフォトダイオードなどの受光素子３２を備える。この検出手段は、必要最小限とされるマーク１６１の数と同数の発光素子３１を備える。つまり必要最大数が４つのマーク１６１が用いられる場合には、４つの発光素子３１が備えられる。各発光素子３１は、測定器１の筐体２内に配置された回路基板３上に、各マーク１６１の位置に対応して実装され、バイオセンサ１００の下方からマーク１６１に向けて光を照射する。言い換えると、発光素子３１とマーク１６１が１対１の関係になるように発光素子３１が実装され、各発光素子３１は対応する位置にある各マーク１６１を照射する。検出部３０は、各発光素子３１を順次一定の発光間隔Δｔで発光させる。
【００２４】
回路基板３には１つの受光素子３２が受光面を上に向けて実装されている。発光素子３１の上方には受光面を下方に向けた受光部３３が配置されている。この受光部３３と受光素子３２は光ファイバーなどからなる導光路３４によって光学的に接続されている。導光路３４の受光素子３２側には、回路基板３に圧入固定された漏光防止用のカバー３５が備えられ、受光部３３で受光した光が確実に受光素子３２で受光される。従って、発光素子３１から出射され光透過性のマーク１６１ａを通過した光は、導光路３４を通じて受光素子３２に受光され、電気信号に変換される。
【００２５】
バイオセンサ１００がソケット１０に挿入された後、検出部３０は各発光素子３１を発光間隔Δｔで順次発光させる。受光素子３２は基板１１０を透過した光を受光すると電気信号を生じるので、検出部３０は光透過性のマーク１６１ａが形成されているものとして電気信号ＯＮを検出する。従って、各発光素子３１が発光するタイミングと受光素子３２が受光するタイミングを対応させることによってマーク１６１の存在位置（ビットパターン）を検出できる。
【００２６】
図６はこの検出手段におけるマーク１６１の検出方法の一例を示す説明図である。この図はコネクタ１０の挿入方向に配置した最大４つのマーク１６１が形成される場合を示し、同図（ａ）に示すように４つのマーク１６１のうち、位置Ａ，位置Ｂ，位置Ｄの光低透過性領域１６２が除去され、位置Ａ、位置Ｂ、位置Ｄにそれぞれ光透過性のマーク１６１ａが形成されている。そして、位置Ｃには光低透過性領域１６２が除去されずに、光低透過性のマーク１６１ｂが形成されている。また、同図（ｂ）に示すように、これら４つの各マーク１６１に対応して４つの発光素子Ａ，Ｂ，Ｃ，Ｄが実装されている。
【００２７】
ここにおいて、位置Ａの発光素子Ａが発光すると、受光素子３２が受光するので検出部３０は電気信号ＯＮを検出する。そうすると検出部３０は位置Ａに光低透過性のマーク１６１ｂがなくて、光透過性のマーク１６１ａがあると認識する。次に、位置Ｂの発光素子Ｂが発光すると、受光素子３２が受光するので検出部３０は電気信号ＯＮを検出する。そうすると検出部３０は位置Ｂにも光低透過性のマーク１６１ｂがなくて、光透過性のマーク１６１ａがあると認識する。その次に、位置Ｃの発光素子Ｃが発光すると、位置Ｃには光不透過性のマーク１６１ｂが存在するので、検出部３０は電気信号ＯＮを検出できない。そうすると検出部３０は位置Ｃには光低透過性のマーク１６１ｂがあって、光透過性のマーク１６１ａがないと認識する。そして最後に位置Ｄの発光素子Ｄが発光すると、受光素子３２が受光するので検出部３０は電気信号ＯＮを検出する。そうすると検出部３０は位置Ｄに光低透過性のマーク１６１ｂがなくて、光透過性のマーク１６１ａがあると認識する。この結果、検出部３０は、Δｔの時間間隔でＯＮ、ＯＮ、ＯＦＦ、ＯＮというビットパターンに対応した２値信号を検出し、この２値信号を照合部４０に出力する。照合部４０は記憶部２０からこのビットパターンに対応した校正用データを取り出し、演算部５０に出力する。演算部５０は、この校正用データに基づいてバイオセンサ１００から出力された出力電圧から測定値を求め、表示部６０に出力する。このようにして、校正用データが自動認識され、表示部６０には校正用データに基づいて校正された正確な測定値が表示される。
【００２８】
同様にして、図示はしないが、２つの光透過性のマーク１６１ａが位置Ｂと位置Ｄに形成されたバイオセンサ１００では、上記と同様の考え方で、検知部３０はＯＦＦ、ＯＮ、ＯＦＦ、ＯＮという２値信号を得て、この２値信号に対応した校正用データが用いられる。また、マーク１６１の位置は直列である必要もなく、例えば図７に示すような２×２などのマトリックス状に形成してもよい。このとき発光素子３１は２×２のマトリックス状に配置される。
【００２９】
上記の方法では、複数の発光素子３１と１つの受光素子３２を用いた場合について例示したが、各発光素子３１に対して１つ１つの受光素子３２を配置したり、アレイ状に受光素子３２が配置され受光した位置情報を検出できる受光アレイを用いたりすることも考えられる。この場合には、発光素子３１を一定の時間間隔Δｔで順次発光させる必要はなく、すべての発光素子３１を同時に発光させることができる。さらに、必要とされる最大数のマーク１６１に対応して複数の受光素子３２を配置し、それらと一つの発光素子３１とによってビットパターンを検出してもよい。しかしながら、光透過性のマーク１６１ａと光低透過性のマーク１６１ｂが近接した場合に、発光素子３１を同時に発光させると、光低透過性のマーク１６１ｂに対応した受光素子３２が、隣接する光透過性のマーク１６１ａを透過した光を受光して光透過性のマーク１６１ａがあると誤認するおそれがある。そこで、受光素子３２がＯＮとして検出されるオフセット値を設定するなど、誤認識を避けるための防止手段を講ずる必要がある。この誤認防止手段として、相互に干渉する位置において、発光素子３１の発光波長とそれと対応する受光素子３２の受光波長を異ならせる方法も例示できる。
【００３０】
図８は本発明のさらに別な実施形態であるバイオセンサ１００を一部省略した平面図である。このバイオセンサ１００もマーク１６１の光透過性を利用したものであるが、このバイオセンサ１００では、標識形成領域１６０全体が導電性膜やインクの塗布、シールの貼付等により光低透過性領域１６２となっている。そして、この光低透過性領域１６２の所定位置（実線で示された囲み枠）が除去されて３つの光透過性のマーク１６１ａが形成され、図の破線の枠１６３で囲まれた領域が除去されずに残り、光低透過性のマーク１６１ｂとなっている。このように光低透過性となるように標識形成領域１６０を形成した上で、必要な領域を削除して光透過性のマーク１６１ａを形成してもよい。このとき、図示したように、予め形成した標識形成領域１６０に除去領域の目安を示す除去線１６４を設けておくとよい。
【００３１】
図９は本発明のさらに別な実施形態であるバイオセンサ１００の背面図である。このバイオセンサ１００では、標識形成領域１６０は基板１１０裏面のコネクタ装着部１５０以外の領域に形成されている。このバイオセンサ１００では、識別情報（ビットパターン）を構成する各マーク１６１は光反射性のマーク１６１ｃと光低反射性のマーク１６１ｄのいずれかであり、図に示すものでは、３つの光反射性のマーク１６１ｃと一つの光低反射性のマーク１６１ｄが形成されている。このバイオセンサ１００においては、反射率が高い光反射性のマーク１６１ｃを識別標識有りとして検知できる。光反射性のマーク１６１ｃは例えば光反射性を有する物質の塗布やシールの貼付により形成され、係る物質の塗布やシールの貼付なき領域は光低反射性のマーク１６１ｄがないものとして認識される。このバイオセンサ１００は、例えば図１０に示すように、回路基板３上に発光素子３１と受光素子３２が実装された測定器１が用いられる。
【００３２】
カバー１２０には光透過性が低い材質のものが使用されることが多く、また、カバー１２０と基板１１０の間には導通路１１３が形成されており高い光透過性を望むことができない。また、基板１１０も光透過性が低い場合もある。このように光透過性を望むことができない場合には、光反射率を利用してマーク１６１を認識させることもできる。特に、図９に示すように、コネクタ装着部１５０以外の領域にマーク１６１を形成する場合は、コネクタ装着部１５０に形成する場合に比べて広い領域を利用できる。この結果、マーク１６１の形成数を増やすことができ、必要とする校正データの数、その他バイオセンサ１００が保有できる情報量を多くすることができる。これによって、よりきめ細かな校正用データを利用することや多数の種類のバイオセンサに対応が容易となる。また、コネクタ１０外に発光素子３１や受光素子３２を配置できるので、これらの配置上の制約も少なくなる。光反射性を利用する場合においても、図３と同様に、製造時に予め最低限必要とされる数若しくはそれ以上の光反射性の領域を標識形成領域１６０に形成しておき、不要な箇所の光反射性の領域を削除して光反射性のマーク１６１ｃを設けたり、削除せずに残して光低反射性のマーク１６１ｄを設けたりすることができる。また、図１１に示すように、光反射性の領域である標識形成領域１６０を形成しておき、不要な領域を削除して光低反射性のマーク１６１ｄを形成し、除去せずに残した領域を光反射性のマーク１６１ｃとすることもできる。もちろん、コネクタ装着部１５０にこのような光反射性を利用したマーク１６１を形成してもよい。
【００３３】
また、マーク１６１の形成には光吸収性を利用することもできる。つまり、光吸収性物質を塗布して光低反射性のマーク１６１ｄを形成したり、予め塗布した光吸収性膜を除去して光反射性のマーク１６１ｃとすることもできる。こうして、光反射性のマーク１６１ｃと光低反射性のマーク１６１ｄとから識別標識（ビットパターン）を構成してもよい。
【００３４】
本発明において、後に光低透過性のマーク１６１ｂとなる光低透過性領域１６２（光反射性のマーク１６１ｃとなる光反射性領域）となるの数は必要とする最大数、つまり必要とするビットパターンを構成するのに必要な数のマーク１６１が最小限必要であるが、それ以上の光低透過性領域１６２（光低透過性のマーク１６１ｂ）を形成しておいても差し支えない。例えば、１５のビットパターンが必要とされる場合ではマーク１６１の必要数は４であるが、予めそれ以上の数、例えば図１２（ａ）に示すように６つの光低透過性のマーク１６１ｂを形成してもよい。そして、図１２（ｂ）に示すように６つの光低透過性領域１６２のうち右側にある４つの光低透過性領域１６２を使ってビットパターンを構成してもよいし、図１２（ｃ）に示すように６つの光低透過性領域１６２のうち左端にある２つの光低透過性領域１６２を削除して、残る４つの光低透過性領域１６２を使ってビットパターンを構成することもできる。測定器１が検出できない光低透過性領域１６２や光透過性の領域は、ビットパターンの認識に影響を与えないからである。
【００３５】
このように、本発明においては光学的手段を用いて検出できるマーク１６１、すなわち、光透過性又は光反射性の相違によりその存否を検出できるマーク１６１を形成できればよい。従って、上記したように、マーク１６１の有無によりその位置や数（ビットパターン）を検出するだけでなく、光透過性や光反射性の異なる２種類のインクやシールを用いてマーク１６１を形成し、両者の光透過率や光反射率の相違を判断して、マーク１６１の位置や数、つまりマーク１６１の存否を検出することもできる。
【図面の簡単な説明】
【００３６】
【図１】本発明の一実施形態であるバイオセンサの概略斜視図である。
【図２】図１のバイオセンサの分解斜視図である。
【図３】図１のバイオセンサにおける識別標識の形成方法を示す説明図であって、（ａ）は識別標識を形成する前の状態を示す図、（ｂ）は形成した後の状態を示す図である。
【図４】図１のバイオセンサが用いられる測定器の構成を示すブロック図である。
【図５】図１のバイオセンサが用いられる測定器を一部破断した概略構成図である。
【図６】識別標識の形成位置の検出方法を示す説明図であって、（ａ）はバイオセンサの一部を省略した平面図、（ｂ）は発光素子の発光タイミングと受光素子の受光タイミングを示す図である。
【図７】本発明の別な実施形態であるバイオセンサの一部を省略した平面図である。
【図８】本発明のさらに別な実施形態であるバイオセンサの一部を省略した平面図である。
【図９】本発明のさらに別な実施形態であるバイオセンサの背面図である。
【図１０】図９のバイオセンサが用いられる測定器を一部破断した概略構成図である。
【図１１】本発明のさらに別な実施形態であるバイオセンサの背面図である。
【図１２】本発明のさらに別な実施形態であるバイオセンサの識別標識の形成方法を示す説明図であって、（ａ）は識別標識を形成する前の光低透過性領域を示す図、（ｂ）（ｃ）はそれぞれ試用テスト後に形成された識別標識の一例を示す図である。
【符号の説明】
【００３７】
１  測定器
２  筐体
３  回路基板
１０  コネクタ
３０  検出部
３１  発光素子
３２  受光素子
４０  照合部
５０  演算部
１００  バイオセンサ
１１０  基板
１１２  端子
１１３  導体路
１２０  カバー
１５０  コネクタ装着部
１６０  標識形成領域
１６１  識別標識を構成するマーク
１６１ａ  光透過性のマーク
１６１ｂ  光低透過性のマーク
１６２  光低透過性領域
【図１】
2009115516.tif 000003
【図２】
2009115516.tif 000004
【図３】
2009115516.tif 000005
【図４】
2009115516.tif 000006
【図５】
2009115516.tif 000007
【図６】
2009115516.tif 000008
【図７】
2009115516.tif 000009
【図８】
2009115516.tif 000010
【図９】
2009115516.tif 000011
【図１０】
2009115516.tif 000012
【図１１】
2009115516.tif 000013
【図１２】
2009115516.tif 000014